(57)【特許請求の範囲】
【請求項１】
モータの一側の端子に抵抗体の一側の端部が接続され、この抵抗体は接触により通電可能であり、この抵抗体の表面にスライド可能に接触するスライド端子を設けた可変抵抗器付きのモータに於いて、前記抵抗体は円弧状を呈してモータシャフトの軸受け側のモータ壁面に設けられており、モータの他側の端子は前記モータシャフトに接触しないようにモータシャフトの上を覆うと共に電池の一側の電極に接触させるための突状電極に接続されており、前記スライド端子は電池の他側の電極に接触するように設けられている、可変抵抗器付きモータ。
【請求項２】
前記抵抗体がコイル状の抵抗線である、請求項１に記載の可変抵抗器付きモータ。
【請求項３】
前記抵抗体が面状の抵抗板である、請求項１に記載の可変抵抗器付きモータ。
【請求項４】
モータのシャフトに重錘が偏芯状態で取り付けられており、モータの一側の端子に抵抗体の一側の端部が接続され、この抵抗体は接触により通電可能であり、この抵抗体の表面にスライド可能に接触するスライド端子を設けると共に、このスライド端子とモータの他側の端子とが電池の電極に接触するように設けられてケース内に納められているバイブレータに於いて、前記抵抗体は円弧状を呈してモータシャフトの軸受け側のモータ壁面に設けられており、モータの他側の端子は前記モータシャフトに接触しないようにモータシャフトの上を覆うと共に電池の一側の電極に接触させるための突状電極に接続されており、前記スライド端子は電池の他側の電極に接触するように設けられている、バイブレータ。
【請求項５】
前記抵抗体がコイル状の抵抗線である、請求項４に記載のバイブレータ。
【請求項６】
前記抵抗体が面状の抵抗板である、請求項４に記載のバイブレータ。
【発明の詳細な説明】
【０００１】
【発明の属する技術分野】
この発明は、モータとこのモータの動作を制御する可変抵抗器とを近設させることによって、両者間の配線を簡略化し、モータや可変抵抗器の取り付け作業を楽なものにし、製造コストを低下させることを可能とする、可変抵抗器付きモータ及びこれを用いたバイブレータに関する。
【０００２】
【従来の技術】
従来より、振動の強弱を変えられるハンディータイプのマッサージ機が用いられて来た。マッサージ機の主要な部品はシャフトに重錘が偏芯状態で取り付けられたモータであり、振動の強弱の可変を行なうために、付属のボリュームダイアルなどを回して調節するようにしている。
【０００３】
ここで、従来型のハンディータイプのマッサージ機の一例を、図７乃至図９を用いて説明する。このものはシャフトに重錘を偏芯させて取り付けたモータを納めた先端ケース６と、モータに電力を供給するための乾電池を納めた電池ケース６０と、回転させることによってスイッチをＯＮ／ＯＦＦさせたりモータの振動の強弱を変えることが出来るスイッチケース６１とから成る。図８及び図９を用いてスイッチケース６１の内部構造を説明すると、スイッチケース６１内には抵抗体としてニクロム線６２をコイル状に捲回して成る抵抗体が円弧状に屈曲されて納められており、この一端部はスイッチケース６１内に固定され、他端部は押え電極６３により固定されている。またスイッチケース６１の中心部分には別の円盤電極６４が取り付けられている。そしてスイッチケース６１とは別体の回転板６５面に、前記ニクロム線６２に接触する回転電極６６と、前記円盤電極６４に接触する回転電極６７とが電気的に接続するように設けられている。そしてこの回転板６５が前記スイッチケース６１に填め合わされる。なお、前記押え電極６３も円盤電極６４も共にスイッチケース６１の裏面に取り出されており、前記モータと乾電池に直列接続されている。即ちスイッチケース６１からモータに向けて、電池ケース６０内を電線が引き通されている（図示せず）。
【０００４】
この回転板６５を回転させると、回転電極６６がニクロム線６２上をスライドして実質的に電気抵抗が変化するため、モータの回転数を変えることが出来るのである。
【０００５】
【発明が解決しようとする課題】
ところで、上述したハンディータイプのマッサージ機に於いては、電池ケース６０の両側にモータを納めた先端ケース６とモータの振動の強弱を変えるためのスイッチケース６１とが離されて取り付けられている。このため必ず電池ケース６０内に電線を通さなくてはならない。即ち、このような構造であると配線作業が面倒であり、また部品点数も多く成る。この結果製造コストも高いものと成っている。
【０００６】
そこでこの発明は、配線を簡略化し、モータや可変抵抗器の取り付け作業を楽なものにし、製造コストを低下させることを可能とするような、可変抵抗器付きモータ及びこれを用いたバイブレータの提供を課題とする。
【０００７】
【課題を解決するための手段及び作用】
上記課題は、モータの一側の端子に抵抗体の一側の端部が接続され、この抵抗体は接触により通電可能であり、この抵抗体の表面にスライド可能に接触するスライド端子を設けた可変抵抗器付きのモータに於いて、前記抵抗体は円弧状を呈してモータシャフトの軸受け側のモータ壁面に設けられており、モータの他側の端子は前記モータシャフトに接触しないようにモータシャフトの上を覆うと共に電池の一側の電極に接触させるための突状電極に接続されており、前記スライド端子は電池の他側の電極に接触するように設けられていることを特徴とする、可変抵抗器付きモータとすることにより達成される。
【０００８】
前記抵抗体は、略円弧状に配置されて、前記スライド端子がこの抵抗体に接触して回転可能に設けられている。抵抗体上をスライド端子がスライドすることにより抵抗体の一端部とスライド端子との間の抵抗値が変化する。この抵抗体の一端部はモータの端子に取り付けられる。なお抵抗体の他端部は開放されたままとしている。モータのもう一方の端子は、前記モータシャフトに接触しないようにモータシャフトの上を覆うと共に電池の一側の電極に接触させるための突状電極に接続されており、直接乾電池の電極に接触するようにしている。一方でスライド端子の他端部は乾電池のもう一方の電極に接続される。このようにこの可変抵抗器はモータに一体に取り付けられるものであるため、一度可変抵抗器をモータに取り付けてしまえばモータをケースに組み込む際に一緒に組み込まれることに成る。
【０００９】
また前記抵抗体は、コイル状の抵抗線であっても、面状の抵抗板であっても、或いはそれ以外の形態であってもよい。何れにせよ抵抗体はモータに取り付けられて一体化するから、配線が簡略化され、モータのケースへの組み込み作業などが楽に成る。
【００１０】
【００１１】
モータを動作させる乾電池に合わせれば、モータ等を納めるケースは一般的に円筒形となるため、抵抗体には上記略円弧状の配置が適用されよう。
【００１２】
【００１３】
モータは、電動消しゴム、電動歯ブラシ、電動工具、下記ハンディータイプのマッサージ機などに組み込まれるため、モータと一体化する可変抵抗器も同時にこれ等に組み込まれる。
【００１４】
次に上記課題は、モータのシャフトに重錘が偏芯状態で取り付けられており、モータの一側の端子に抵抗体の一側の端部が接続され、この抵抗体は接触により通電可能であり、この抵抗体の表面にスライド可能に接触するスライド端子を設けると共に、このスライド端子とモータの他側の端子とが電池の電極に接触するように設けられてケース内に納められているバイブレータに於いて、前記抵抗体は円弧状を呈してモータシャフトの軸受け側のモータ壁面に設けられており、モータの他側の端子は前記モータシャフトに接触しないようにモータシャフトの上を覆うと共に電池の一側の電極に接触させるための突状電極に接続されており、前記スライド端子は電池の他側の電極に接触するように設けられている、バイブレータとすることにより達成される。
【００１５】
可変抵抗器はモータに一体に取り付けられている。このためモータをケースに組み込むと、これと一体の可変抵抗器も共に組み込まれることに成る。而して抵抗体上をスライド端子がスライドすることによって、抵抗体の一端部とスライド端子との間の抵抗値が変化する。この抵抗体の一端部はモータの端子に取り付けられており、抵抗体の他端部は開放されたままに成っている。モータのもう一方の端子は、前記モータシャフトに接触しないようにモータシャフトの上を覆うと共に電池の一側の電極に接触させるための突状電極に接続されており、直接乾電池の電極に接触するようにしている。一方で、スライド端子の他端部は乾電池のもう一方の電極に接続される。
【００１６】
また前記抵抗体は、コイル状の抵抗線であっても、面状の抵抗板であっても、或いはそれ以外の形態であってもよい。何れにせよ抵抗体はモータに取り付けられて一体化するから、配線が簡略化され、モータのケースへの組み込み作業などが楽に成る。
【００１７】
【発明の実施の形態】
以下この発明の幾つかの実施の形態に付き、図面を参照しながら説明するが、この発明はこれ等の実施の形態にのみ限定されるものではない。
【００１８】
第１実施形態
図１乃至図３は第１実施形態に係るものであり、携帯型のマッサージ機、即ちバイブレータ用の可変抵抗器１に関するものである。マッサージ機の機械的振動を発する主要な部品はモータ７であり、このモータ７のシャフト（回転軸）７０には重錘７３が偏芯状態で取り付けられており、モータ７が回転するとブルブルと振動を発する。このモータ７に取り付ける可変抵抗器１が第１実施形態に係るものである。
【００１９】
可変抵抗器１は、略円筒形状のモータ７の直径と略同一の円盤状の基板１０を有し、基板１０の外周部に沿って設けられたコ字状部１２にコイル状のニクロム線１６がはめ込まれる。このニクロム線１６の一端部は基板１０上に設けられた突起１３にはめ込まれて固定されており、他端部は後述する押え電極１４により固定され得るように成っている。また基板１０の中心部には、後述する突状電極１５を突出させるための孔１１が開孔されている。このようにしてこの実施形態の可変抵抗器１が構成されている。
【００２０】
なお、モータ７には２つの端子７１，７２が備わっているが、これを予め改良して、端子７１には上述したニクロム線１６の他端部を固定するための押え電極１４を設け、端子７２には、モータ７の背面部に突出するシャフトの端部に被さる突状電極１５を設けている。このシャフトは突状電極１５には接触しないように成っている。また後述する電池ケース８０の底部に設けた電池のマイナス電極に弾接するバネ電極８１から電池ケース８０の内側の側面部に沿って電池ケース８０の開口部へと至るスライド電極１７が、前記ニクロム線１６に接触するように設けられている。
【００２１】
上述した各部品は、全てケース８，８０内に納められるものである。モータ７は、ケース８内に、重錘７３がケース端に接触しないように挿入される。モータ７の背面部にはこの実施形態の可変抵抗器１が取り付けられ、可変抵抗器１はこのケース８の入り口に位置している。而して電池ケースをモータ７が入っているケース８の口に差し込むと、ケース８，８０は一体化し、前記スライド電極１７がニクロム線１６に接触する。この時ケース８，８０は互いに回転自在であり、例えばケース８を左手で持って固定し、電池ケース８０を右手で持って右回転させるようにする。始めスライド電極１７がニクロム線１６に接触していない状態では、モータ７に電力が供給されないが、電池ケース８０の回転に伴なってスライド電極１７がニクロム線１６に接触すると、モータ７に電力が供給されるように成り、モータ７が回転を始め、振動を生ずる。更にスライド電極１７を右回転させると、スライド電極１７が電極１４に近付いて、実質的にニクロム線１６の長さが短くなって抵抗が減少し、モータ７の回転が更に高まり、振動がより激しく成る。ここでスライド電極１７を逆転させると、この場合は実質的にニクロム線１６の長さが長くなって抵抗が増加し、モータ７の振動が緩やかなものと成るのである。
【００２２】
上記の動作を図３の回路図で見ると、モータ７と電池とニクロム線１６は直列に配置されており、スライド電極１７がニクロム線１６上をスライドすることによって抵抗値が変化して、電極１４，１５間、即ちモータ７の端子７１，７２に印加される電圧が変化する。
【００２３】
この実施形態の可変抵抗器１は、モータ７に一体的に取り付けられるものであるから、必要な部分の配線は既に完了しており、且つモータ７をケース８に組み込む時に一緒に組み込まれる。この結果、配線が簡略化し、能動部品や可変抵抗器の取り付け作業が楽なものと成り、製造コストが低下するという効果を生じている。この実施形態の可変抵抗器１が、モータ７の背面部に取り付け得るように構成されているのは、その取り扱いの容易さを考えた結果であると共に、主として電池ケース８０の形状に合わせたことによる。
【００２４】
第２実施形態
図４は第２実施形態に係るものであり、可変抵抗器付きモータ２に関するものである。このモータ２０は、この実施形態では上述した携帯型のマッサージ機に利用される。モータ２０のシャフト２１をモータ２０の背面部で軸受けするための背面板２２の表面部に、次のような各部品が実装されて可変抵抗器付きモータ２を構成している。
【００２５】
先ず、背面板２２の外周部に沿って設けられたコ字状部２６にコイル状のニクロム線２８がはめ込まれる。このニクロム線２８の一端部は背面板２２上に設けられた突起２７にはめ込まれて固定されており、他端部は後述する押え電極２４により固定されている。次に、背面板２２には、２つの電極２４，２５が設けられている。押え電極２４は上述のニクロム線２８の他端部を固定している。また突状電極２５は、背面板２２から突出するシャフトの端部に被さるも、シャフトには接触しないように設けられている。
【００２６】
この第２実施形態の可変抵抗器付きモータ２は第１実施形態で説明したケース８に納められ、同電池ケース８０に填め合わされる。これによって、電池ケース８０の底部に設けた電池のマイナス電極に弾接するバネ電極８１から電池ケース８０の内側の側面部に沿って電池ケース８０の開口部へと至るスライド電極１７が前記ニクロム線２８に接触して、スライド電極１７はニクロム線２８上をスライド自在と成る。
【００２７】
この実施形態の可変抵抗器付きモータ２によればモータには初めから可変抵抗器が組み込まれているため、必要な部分の配線は既に完了している。従って配線が簡略化し、この携帯型のマッサージ機の製造コストは低いものと成る。
【００２８】
第３実施形態
図５はモータに取り付けるための可変抵抗器３の説明図である。モータの背面板と略同一寸法の基板３０には、その外周部に沿って円弧状の抵抗板３３が取り付けられている。図中符号３１，３２は、この実施形態の可変抵抗器３をモータに取り付けた時に基板３０の切欠孔から取り出したモータの電極であるが、この内の一方の電極３２が前記抵抗板３３の一端部に電気的に接続されている。なお抵抗板３３の他端部は開放端と成っている。基板３０の中央部には、電池の正極突起に接触し得ると共に、基板３０に対して回転自在と成るように、突起３５が設けられており、この突起３５から外方に向け回転電極３４が延設されている。この回転電極３４は、前記面状の抵抗板３３の上を接触しながら回転するように構成されている。なお、もう一方の電極３１は、電池の負極に接続されるものである。
【００２９】
この実施形態によれば、この可変抵抗器３をモータに取り付けた後、電池との接続には、電池の負極と電極３１とを接続するだけでよいことと成る。而して、基板３０には回転電極３４を回転させるためのダイアルが取り付けられる（図示せず）。
【００３０】
第４実施形態
図６はモータに取り付けるための可変抵抗器３６の説明図であって、基板３０部分のみを表わしたものである。この実施形態の特徴は基板３０の外周部に沿って、円弧状の２つの抵抗板３７，３８が取り付けられている点にある。また電極３１は電池の負極に接続されるものであるが、もう一方の電極３２は、隣り合う２つの抵抗板３７，３８の端部に、基板３０の裏面で接続されている点にある。なお抵抗板３７，３８の他側の端部は開放端と成っている。
【００３１】
この結果、図示しない回転電極３４が、抵抗板３８の開放端側から右回転して行くに従って電気抵抗は減少するが、更に右回転して電極３２の位置を越え抵抗板３７に接触し、右回転が進むほどに電気抵抗は増加するというパターンを得ることが出来る。このように、抵抗板の配置パターンには種々配置デザインが可能である。
【００３２】
【００３３】
【００３４】
【００３５】
【００３６】
【００３７】
【００３８】
なおこの発明は、上述した実施形態に限定されるものではなく、単に電池駆動のモータのみならず、アダプターを経由した家庭用電源による駆動形態のモータなどにも適用可能である。抵抗体も上記形態に限定されず、任意に設計変更することが出来る。端子間の接続構造の選択も自由であり、複数の抵抗体を併設する場合にはその接続も直列接続、並列接続、クロス接続など任意である。
【００３９】
【発明の効果】
以上この発明の構成によれば、モータと可変抵抗器とが都合よく一体化されている。
【００４０】
このため、配線が簡略化し、モータや可変抵抗器の取り付け作業が楽なものと成り、製造コストが低下するという効果を奏する。
【図面の簡単な説明】
【図１】この発明の第１実施形態のマッサージ機用可変抵抗器の分解斜視図である。
【図２】同実施形態をマッサージ機に組み込んだ場合の内部構造の説明図である。
【図３】同実施形態の電気的配線図である。
【図４】この発明の第２実施形態の可変抵抗器付きモータの斜視図である。
【図５】この発明の第３実施形態のモータ用可変抵抗器の説明図である。
【図６】この発明の第４実施形態のモータ用可変抵抗器の説明図である。
【図７】従来例のマッサージ機の側面図である。
【図８】同例のスイッチケース６１部分の内部構造の説明図である。
【図９】同例の回転板６５部分の裏面構造の説明図である。
【符号の説明】
１    モータ用の可変抵抗器
１０  基板
１１  孔
１２  コ字状部
１３  突起
１４  押え電極
１５  突状電極
１６  ニクロム線
１７  スライド電極
２    可変抵抗器付きモータ
２０  モータ
２１  シャフト
２２  背面板
２３  孔
２４  押え電極
２５  突状電極
２６  コ字状部
２７  突起
２８  ニクロム線
３    モータ用の可変抵抗器
３０  基板
３１  電極
３２  電極
３３  抵抗板
３４  回転電極
３５  突起
３６  モータ用の可変抵抗器
３７  抵抗板
３８  抵抗板
７    モータ
７０  シャフト
７１  端子
７２  端子
７３  重錘
８    ケース
８０  電池ケース
８１  バネ電極
【図１】
0003752928.tif 000002
【図２】
0003752928.tif 000003
【図３】
0003752928.tif 000004
【図４】
0003752928.tif 000005
【図５】
0003752928.tif 000006
【図６】
0003752928.tif 000007
【図７】
0003752928.tif 000008
【図８】
0003752928.tif 000009
【図９】
0003752928.tif 000010